(57)【要約】【課題】洗濯を洗濯物の量に応じて具合良く行うことが容易にできるようにする。【解決手段】洗濯槽の内部に洗濯物を洗濯水と共に収容し、撹拌体を回転駆動することにより、洗濯物を洗濯水と共に撹拌して洗濯をするようにした洗濯機において、洗濯槽の内面に、収容した洗濯物の嵩を示す洗濯物嵩標示３０を設けると共に、その示した洗濯物の嵩に適した水位を示す水位標示３１を設けたことにより、洗濯物の嵩を洗濯物嵩標示３０による実測で知って、その実測嵩に適した水位を水位標示３１で知ることができるものであり、よって、洗濯物の嵩に対して給水の水位が多過ぎたり少な過ぎたりすることがなく、洗濯を洗濯物の量に応じて具合良く行うことが容易にできる。【選択図】図１
2014057789.tif 000002
【特許請求の範囲】
【請求項１】
洗濯槽と、
この洗濯槽の内部に配設した撹拌体と、
この撹拌体を回転駆動する駆動装置とを具備し、
前記洗濯槽の内部に洗濯物を洗濯水と共に収容し、前記撹拌体を回転駆動することにより、前記洗濯物を洗濯水と共に撹拌して洗濯をするようにした洗濯機において、
前記洗濯槽の内面に、収容した前記洗濯物の嵩を示す洗濯物嵩標示を設けると共に、その示した洗濯物の嵩に適した水位を示す水位標示を設けたことを特徴とする洗濯機。
【請求項２】
洗濯物嵩標示は、乾布と湿布とについて存在することを特徴とする請求項１記載の洗濯機。
【請求項３】
洗濯物嵩標示は、洗濯時の撹拌体の回転により生成される水流の強さ別に存在することを特徴とする請求項１又は２記載の洗濯機。
【請求項４】
洗濯時の撹拌体の回転により生成される水流の強さ別に存在する洗濯物嵩標示は、その水流の強弱切換えをするスイッチの操作標示の位置方向に合わせて存在することを特徴とする請求項３記載の洗濯機。
【請求項５】
洗濯槽の内面に、洗濯物嵩標示及び水位標示と共に、それらに適した洗剤量の表示をしたことを特徴とする請求項１ないし４のいずれかに記載の洗濯機。
【請求項６】
洗剤量の表示は、洗濯物の汚れ別に存在することを特徴とする請求項５記載の洗濯機。
【請求項７】
洗剤量の表示は、つけ置き洗い時に適した量についても存在することを特徴とする請求項５又は６記載の洗濯機。
【請求項８】
各標示と標示又は各標示と洗剤量の表示との対応関係を示す結び標示を有することを特徴とする請求項１ないし７のいずれかに記載の洗濯機。
【発明の詳細な説明】
【技術分野】
【０００１】
本発明の実施形態は洗濯機に関する。
【背景技術】
【０００２】
従来より、洗濯機においては、洗濯槽の内部に撹拌体が配設され、この撹拌体を回転駆動することにより、洗濯物を洗濯水と共に撹拌して洗濯をするもの（特には二槽式洗濯機）が供されている。このものの場合、洗濯槽の内面には、水位を示す水位標示が設けられており、使用者は、洗濯時、洗濯物の量を目分量で判断し、その判断結果から、洗濯に必要な水位並びに洗剤量を感覚的に、もしくは取扱説明書の記載から判断して、水位標示を照合しながらの、判断した水位までの給水、並びに判断した量の洗剤の投入をし、洗濯を行うようになっている。
【０００３】
なお、下記の特許文献１には、洗濯物の高さに関する標示と、その高さに対する水量値とを表示した洗濯機が記載されている。
【先行技術文献】
【特許文献】
【０００４】
【特許文献１】特開２００２−２２４４９１号公報
【発明の概要】
【発明が解決しようとする課題】
【０００５】
上記従来の、洗濯槽の内面に水位を標示する水位標示だけが設けられていて、使用者が、洗濯時、洗濯物の量を目分量で判断し、その判断結果から、洗濯に必要な水位並びに洗剤量を感覚的に、もしくは取扱説明書の記載から判断して、水位標示を照合しながらの、判断した水位までの給水、並びに判断した量の洗剤の投入をし、洗濯を行うものでは、基本の洗濯物量の判断が目分量によるため、その洗濯物の量に対する、給水の水位及び洗剤の投入量が多過ぎたり少な過ぎたりして、洗濯を具合良く行うことが困難であるという欠点を有する。
【０００６】
又、特許文献１に記載のものでは、洗濯物の高さに関する標示に対して、その高さに対する水量値が同位置に表示されており、「実際の水面は洗濯物の高さより高くなる」とも記載されていて、洗濯物の量に対する水位の適正値が不明である。換言すれば、このものは、洗濯物の高さに関する指標だけが表示されているに等しいものであって、結局、給水の水位及び洗剤の投入量が多過ぎたり少な過ぎたりすることにより、洗濯を具合良く行うことが困難であるという欠点を有する。もしくは、その場合、取扱説明書の記載を逐一見て、洗濯に必要な水位並びに洗剤量を知る必要があり、面倒であった。
【０００７】
そこで、洗濯を洗濯物の量に応じて具合良く行うことが容易にできる洗濯機を提供する。
【課題を解決するための手段】
【０００８】
本実施形態の洗濯機は、洗濯槽と、この洗濯槽の内部に配設した撹拌体と、この撹拌体を回転駆動する駆動装置とを具備し、前記洗濯槽の内部に洗濯物を洗濯水と共に収容し、前記撹拌体を回転駆動することにより、前記洗濯物を洗濯水と共に撹拌して洗濯をするようにした洗濯機において、前記洗濯槽の内面に、収容した前記洗濯物の嵩を示す洗濯物嵩標示を設けると共に、その示した洗濯物の嵩に適した水位を示す水位標示を設けたことを特徴とする。
【図面の簡単な説明】
【０００９】
【図１】第１の実施形態を示す主要部分の正面図
【図２】洗濯機全体の縦断正面図
【図３】操作パネルの部分平面図
【図４】第２の実施形態を示す図１相当図
【図５】第３の実施形態に係る、スイッチの操作標示の位置方向を示す図（ａ）と、洗濯槽の各標示の配置を模式的に示す図（ｂ）
【図６】第４の実施形態を示す図１相当図
【発明を実施するための形態】
【００１０】
以下、第１の実施形態につき、図１ないし図３を参照して説明する。
まず、図２には、洗濯機、特には二槽式洗濯機の全体構成を示しており、基台１上に洗濯槽２と脱水槽３とを並置状態で配設している。洗濯槽２と脱水槽３は、ともにプラスチック製で、周側部の外側の部分（洗濯槽２は図示の左側部と図示しない前側部及び後側部、脱水槽３は図示の右側部と図示しない前側部及び後側部）が外筐を兼ねている。
【００１１】
洗濯槽２の奥側の一箇所には、溢水ストレーナ４を装着しており、洗濯槽２の内下部に撹拌体５を回転可能に配設している。撹拌体５は円盤状で、上面に複数の撹拌突起５ａを有している。洗濯槽２の底部には、撹拌体５の下方に位置する部分に排水口６を形成しており、この排水口６には、排水弁７を介して、図示しない排水ホースを連ねている。排水ホースは、先端部が機外に臨んでおり、中間部に、図示しない溢水管を介して前記溢水ストレーナ４が覆った図示しない溢水口を接続している。
【００１２】
洗濯槽２の外下面部にはギヤ機構９を設けており、このギヤ機構９の出力軸９ａを、洗濯槽２の底部を水密且つ回転可能に貫通させて洗濯槽２の内下部に突出させ、その突出部分に前記撹拌体５をねじ１０により取付けている。
一方、ギヤ機構９の入力軸９ｂには従動プーリ１１を取付けており、他方、洗濯槽２外下方の、従動プーリ１１からやゝ離間した位置には洗濯用モータ１２を配設していて、この洗濯用モータ１２の回転軸１２ａに取付けた駆動プーリ１３と従動プーリ１１との間に伝動ベルト１４を掛けている。
【００１３】
この結果、撹拌体５は、洗濯用モータ１２により、駆動プーリ１３、伝動ベルト１４、従動プーリ１１、及びギヤ機構９を順に介して回転駆動、特には時計回りと反時計回りの正逆両方向に交互に低速回転駆動され、その回転により、洗濯槽２に収容した図示しない洗濯物を図示しない洗濯水と共に撹拌して洗濯水流を生成し、洗濯をするようになっている。従って、洗濯用モータ１２、駆動プーリ１３、伝動ベルト１４、従動プーリ１１、及びギヤ機構９は、撹拌体５を回転駆動する駆動装置Ｋを構成するものであり、洗濯水流は撹拌体５の回転速度で強度が切換えられるようになっている。
【００１４】
脱水槽３の内部には、脱水かご１５を回転可能に配設している。脱水かご１５は、周側部に環状の補強リブ１５ａと脱水孔１５ｂをともに多数有するものであり、この脱水かご１５を回転駆動する脱水用モータ１６と、その回転を制止するブレーキ装置１７とを脱水槽３の外下方に配設している。
【００１５】
この結果、脱水かご１５は、脱水用モータ１６により直に回転駆動、中でも一方向に高速回転駆動され、その回転により、脱水かご１５内に収容した洗濯物の遠心脱水をするようになっている。従って、脱水用モータ１６は脱水かご１５を回転駆動する駆動装置として機能するものである。なお、脱水槽３にも、底部には排水口１８を形成しており、この排水口１８を図示しない接続管で前記排水ホースの中間部に連ねている。
【００１６】
このほか、洗濯槽２及び脱水槽３上には操作パネル１９を設けており、この操作パネル１９には、洗濯用タイマーの操作つまみ２０と、洗濯用の水流強度切換え及び排水選択用の操作つまみ２１、脱水用タイマーの操作つまみ２２、給水切換え用操作つまみ２３、及び給水ホース接続口２４を設けている。
【００１７】
このうち、洗濯用タイマーの操作つまみ２０と、洗濯水流の強度切換え及び排水選択用の操作つまみ２１、脱水用タイマーの操作つまみ２２は、詳細には図３に示すとおりであり、操作パネル１９中の操作つまみ２０周囲の部分には、洗濯運転の時間を示す標示２５を、つけ置き洗いの時間帯を示す標示２６と共に設けている。操作つまみ２０は、矢印状の指標２０ａが上記標示２５，２６のいずれかを指すべく回動操作することによって、洗濯運転の時間ないしつけ置き洗いの時間を選択するものである。
【００１８】
操作パネル１９中の操作つまみ２１周囲の部分には、洗濯用の水流の強度を示す標示２７と排水を示す標示２８とを設けている。操作つまみ２２は、矢印状の指標２１ａが上記標示２７，２８のいずれかを指すべく回動操作することによって、洗濯水流の強度ないし排水を選択するものである。
【００１９】
操作パネル１９中の操作つまみ２２周囲の部分には、脱水運転の時間を示す標示２９を設けている。操作つまみ２２は、矢印状の指標２２ａが上記標示２９のいずれかを指すべく回動操作することによって、脱水運転の時間を選択するものである。
この関係で、操作パネル１９の内部には、洗濯用タイマーと、洗濯水流切換スイッチ並びに排水弁操作部材、及び脱水用タイマーが存在しており、標示２５〜２７，２９はそのタイマー及びスイッチの操作標示である。
【００２０】
ここで、図１は、前記洗濯槽２の内面、特には洗濯機の前に立つ使用者が見やすい面である右側面や左側面もしくは奥面（本実施形態では右側面）に設けた洗濯物嵩標示３０と水位標示３１とを示している。このうち、洗濯物嵩標示３０は、洗濯槽２の内部に収容した洗濯物の嵩（総合高さ）を示すものであり、水位標示３１は、示した洗濯物の嵩に適した水位を示すものであって、いずれも水平状の実線形の成形で複数段にわたり設けている。又、洗濯物嵩標示３０は、乾布（乾いた洗濯物）と湿布（ぬれた洗濯物）とについて存在するもので、乾布用が標示３０ａ、湿布用が標示３０ｂである。更に、それらの標示３０（３０ａ，３０ｂ），３１間には、各標示の対応関係を示す結び標示３２，３３を、それぞれ破線形の成形で設けている。
【００２１】
さて、上述のように構成した本実施形態においては、洗濯時、洗濯物を洗濯槽２内に入れる。この状態で、入れた洗濯物の総合高さを洗濯物嵩標示３０に照合して知る。このとき、洗濯物には乾布と湿布とがあり、乾布は洗濯前の洗濯物、湿布はすすぎ後又は脱水後の洗濯物であって、乾布は乾布用の標示３０ａでその嵩を知り、湿布は湿布用の標示３０ｂでその嵩を知る。
【００２２】
次いで、洗濯物の嵩を示した（洗濯物の総合高さと同位の）標示３０（３０ａ又は３０ｂ）に合った水位を水位標示３１から知る。このとき、結び標示３２，３３があることにより、洗濯物嵩標示３０から洗濯物の嵩に適した水位の水位標示３１に至ることが、結び標示３２，３３を目視で辿って容易にできる。
【００２３】
この後、給水切換え用操作つまみ２３を洗濯槽２側に操作し、給水ホース接続口２４に図示しない給水ホースで接続した水道の蛇口を開いて、洗濯物の嵩に適した水位の水位標示３１に到達するまで洗濯槽２内に給水する。そして、洗剤を投入し、標示２７に対する操作つまみ２１の回動操作によって洗濯用の水流の強度を選択し、標示２５，２６に対する操作つまみ２０の回動操作によって洗濯運転ないしつけ置き洗いの時間を選択する。
すると、洗濯用モータ１２が起動し、駆動プーリ１３から伝動ベルト１４、従動プーリ１１、及びギヤ機構９を順に介して撹拌体５を回転駆動し、その回転により、洗濯槽２に収容した洗濯物を図示しない洗濯水と共に撹拌して洗濯が行われる。
【００２４】
このように本実施形態によれば、洗濯槽２の内部に洗濯物を洗濯水と共に収容し、撹拌体５を回転駆動することにより、洗濯物を洗濯水と共に撹拌して洗濯をするようにした洗濯機において、洗濯槽２の内面に、収容した洗濯物の嵩を示す洗濯物嵩標示３０を設けると共に、その示した洗濯物の嵩に適した水位を示す水位標示３１を設けたことにより、洗濯物の嵩を洗濯物嵩標示３０による実測で知って、その実測嵩に適した水位を水位標示３１で知ることができるものであり、よって、洗濯物の嵩に対して給水の水位が多過ぎたり少な過ぎたりすることがなく、洗濯物の量に応じた適正な水量で洗濯を具合良く行うことが容易にできる。
【００２５】
又、本実施形態によれば、洗濯物嵩標示３０は、乾布と湿布とについて存在する。湿布は湿っている分、乾布よりも嵩が小さくなる。従って、洗濯物嵩標示３０が乾布と湿布とについて存在することにより、洗濯物の嵩を乾布と湿布との別で、より正確に知ることができ、その分、洗濯物の嵩に適した水位も乾布と湿布との別でより正確に知ることができて、洗濯物の嵩に対して給水の水位が多過ぎたり少な過ぎたりすることが一層なくなり、洗濯物の量に応じた適正な水量で洗濯を更に具合良く行うことが容易にできる。
【００２６】
しかも、本実施形態によれば、各標示３０，３１の対応関係を示す結び標示３２，３３を有している。これにより、洗濯物嵩標示３０（３０ａ，３０ｂ）から洗濯物の嵩に適した水位の水位標示３１に至ることが、結び標示３２，３３を辿って容易にでき、便利であると共に、より正確に適した水位を知ることが容易にできる。
【００２７】
以上に対して、図４ないし図６は第２ないし第４の実施形態を示すもので、それぞれ、第１の実施形態と同一の部分には同一の符号を付して説明を省略し、異なる部分についてのみ述べる。
【００２８】
［第２の実施形態］
図４に示す第２の実施形態においては、洗濯物嵩標示３０が、洗濯時の撹拌体５の回転により生成される水流の強さ別に存在するようにしている。具体的には、水流の強さは、「弱水流」、「標準水流」、及び「強水流」の３種類があり、その各水流について洗濯物嵩標示３０ｃ，３０ｄ，３０ｅが存在する。この場合、「弱水流」についての洗濯物嵩標示３０ｃより「標準水流」についての洗濯物嵩標示３０ｄが高く、「標準水流」についての洗濯物嵩標示３０ｄより「強水流」についての洗濯物嵩標示３０ｅが更に高くなっている。すなわち、洗濯水流が強いほど、水位に対する洗濯物の嵩の標示を高くしており、反対に、洗濯水流が弱いほど、水位に対する洗濯物の嵩の標示を低くしている。
【００２９】
洗濯は、洗濯物の量が多いほど、強い水流で洗濯をする必要があり、反対に、洗濯物の量が少なければ、弱い水流で洗濯をしても充分である。特に、弱い水流で洗濯をする、デリケートな布質の洗濯物は、傷みにくいように少ない洗濯物量で洗うのが好ましい。このような事情に合わせて、洗濯物嵩標示３０が、洗濯時の撹拌体５の回転により生成される水流の強さ別に存在するようにしているものであり、それによって、洗濯水流に応じた洗濯物嵩の判断ができて、それぞれに適した水位での洗濯ができることにより、洗濯物の量に応じた適正な水量で洗濯を具合良く行うことが容易にできる。
【００３０】
又、この場合も、各標示３０ｃ，３０ｄ，３０ｅ、３１の対応関係を示す結び標示３３ａ，３３ｂ，３３ｃを有しており、それによって、便利であると共に、より正確に適した水位を知ることが容易にできる。
なお、この場合、水流の強さ別の洗濯物嵩標示３０は、乾布（乾いた洗濯物）についてのみ存在するが、第１の実施形態と同様に、湿布（ぬれた洗濯物）についても存在するようにしても良い。
【００３１】
［第３の実施形態］
図５に示す第３の実施形態においては、洗濯時の撹拌体５の回転により生成される水流の強さ別に存在する洗濯物嵩標示３０（３０ａ，３０ｂ，３０ｃ）が、その水流の強弱切換えをするスイッチの操作標示２７の位置方向に合わせて存在するようにしている。
【００３２】
具体的には、洗濯水流の強弱切換えをするスイッチの操作標示２７の「標準」が操作つまみ２１の後方（図５では上方）に位置し、「強」が操作つまみ２１の右側方に位置し、「弱」が操作つまみ２１の左側方に位置するのに合わせて、「標準水流」についての洗濯物嵩標示３０ｄと水位標示３１を洗濯槽２内の奥面部に設け、「強水流」についての洗濯物嵩標示３０ｅと水位標示３１を洗濯槽２内の右側面部に設け、「弱水流」についての洗濯物嵩標示３０ｃと水位標示３１を洗濯槽２内の左側面部に設けている。
【００３３】
このようにすることにより、洗濯水流の強弱切換えをするスイッチの操作標示２７の位置方向と。洗濯水流の強さ別に存在する洗濯物嵩標示３０ｃ〜３０ｅとの位置が合致し、判別しやすくなるので、操作が明快で、誤操作のおそれも少なくすることができる。
【００３４】
［第４の実施形態］
図６に示す第４の実施形態においては、洗濯槽２の内面に、洗濯物嵩標示３０及び水位標示３１と共に、それらに適した洗剤量の表示３４を設けている。このようにすることにより、洗剤を、洗濯物嵩標示３０及び水位標示３１に応じた適切な量、入れることができる。
【００３５】
又、この場合、洗剤量の表示３４は洗濯物の汚れ別に存在するようにもしている。具体的には、洗濯物の汚れを「多」、「普通」、「少」の別に分け、そのそれぞれに適した洗剤量を「１．２」、「１．０」、「０．８」・・・の軽量カップ数で表示するようにしている。このようにすることにより、洗剤を、洗濯物の汚れ度合にも応じた適切な量、入れることができる。
【００３６】
更に、この場合、洗剤量の表示３４は、つけ置き洗い時に適した量についても存在するようにしている。これも具体的には、「つけおき」の表示と、洗濯物嵩標示３０及び水位標示３１に適した洗剤量を「１．５」、「１．３」、「１．０」の計量カップ数で表示するようにしているものであり、洗濯物のつけ置き洗いは、汚れ度合の大きな洗濯物を間欠的な撹拌と洗剤の酵素の働きとで洗うというものであって、一般的に高濃度の洗剤液に浸した方が汚れ落ちが良いという事情があるので、それに合わせ、洗剤量を通常の洗濯に適した量より多く表示することにより、効果的なつけ置き洗いを行うことができ、便利である。
【００３７】
加えて、この場合、洗濯物嵩標示３０及び水位標示３１と洗剤量の表示３４との対応関係を示す結び標示３５を有するようにもしている。これにより、洗濯物嵩標示３０から水位標示３１を経て洗濯物の嵩並びに水位に適した洗剤量の表示３４に至ることが、結び標示３２，３３，３５を辿って容易にでき、便利であると共に、より正確に適した洗剤量を知ることが容易にできる。
【００３８】
なお、洗剤量の表示３４は、洗濯槽２に成形で設けているが、シールに記して、該シールを洗濯槽２に貼着するようにしても良い。又、洗剤量は、計量カップ数でなく、軽量カップの洗剤収容量別の絵表示で設けるようにしても良い。
又、この第４の実施形態は、第２、第３の実施形態と合わせて実施するようにしても良い。
以上説明した洗濯機は、上記実施形態にのみ限定されるものではなく、例えば脱水機能は具わっていなくても良いなど、要旨を逸脱しない範囲内で適宜変更して実施し得る。
【００３９】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４０】
図面中、２は洗濯槽、５は撹拌体、Ｋは駆動装置、２７はスイッチの操作標示、３０，３０ａ〜３０ｅは洗濯物嵩標示、３１は水位標示、３２，３３，３３ａ〜３３ｃは結び標示、３４は洗剤量の表示、３５は結び標示を示す。
【図１】
2014057789.tif 000003
【図２】
2014057789.tif 000004
【図３】
2014057789.tif 000005
【図４】
2014057789.tif 000006
【図５】
2014057789.tif 000007
【図６】
2014057789.tif 000008